(57)【要約】【課題】  虹彩などにより測定光束の一部が遮ぎられた場合でも、測定エラーや測定精度が悪化することを防ぎ、検者の操作性向上と被検者の負担軽減を図る。【解決手段】  前眼部像Ｅ’の測定領域の各検出個所Ｐ１〜Ｐ８のうち、例えば検出個所Ｐ７で検出された輝度が設定された閾値Ｌに比べて高くなると、検出個所Ｐ７において測定光束が虹彩により遮ぎられていると判断されるので、この検出個所Ｐ７に対応するエリアを眼底像検出を行わない範囲に設定する。【選択図】図６
2005342284.tif 000002
【特許請求の範囲】
【請求項１】
被検眼の眼底に光束を投影する光束投影手段と、該光束投影手段による眼底反射光束を検出して被検眼の眼屈折力を測定する測定手段とを有する眼屈折力測定装置において、被検眼の前眼部を撮像する撮像手段と、該撮像手段で撮像した前眼部像を記憶する記憶手段と、該前眼部像を用いて前記眼底反射光束の通過領域を前記眼底反射光束が通過可能か否かを判断する判断手段と、該判断手段の結果を基に前記眼底反射光束の検出範囲を設定する検出範囲設定手段とを有し、前記測定手段は該検出範囲設定手段で設定した検出範囲で得られた前記眼底反射光束を使用して眼底屈折力を測定することを特徴とする眼屈折力測定装置。
【請求項２】
前記光束投影手段は前記測定手段の略光軸上から被検眼瞳孔に光束を投影することを特徴とする請求項１に記載の眼屈折力測定装置。
【請求項３】
前記眼底反射光束として、瞳孔と共役位置にありその略光軸を中心とするリング状絞りを経たリング状光束を用いることを特徴とする請求項１に記載の眼屈折力測定装置。
【請求項４】
前記判断手段は前記前眼部像を用いて前記眼底反射光束が通過する最外周上の複数個所の輝度を検出し、該輝度情報を基に前記眼底反射光束が通過可能か否かを判断することを特徴とする請求項１に記載の眼屈折力測定装置。
【請求項５】
前記検出範囲設定手段は前記輝度情報を基に得られた通過不能領域に従って、前記通過不能領域を除く領域を検出範囲に設定することを特徴とする請求項４に記載の眼屈折力測定装置。
【発明の詳細な説明】
【技術分野】
【０００１】
本発明は、被検眼の眼屈折力を測定する眼屈折力測定装置に関するものである。
【背景技術】
【０００２】
従来から、被検眼の屈折力を測定する眼屈折力測定装置においては、その検眼光学系と被検眼の位置合わせを行うために、被検眼の角膜に光束を投影して、その角膜反射により形成された輝点像を検眼光学系の中心に一致させる方式のものが多い。
【０００３】
しかし元々、人眼の角膜中心と瞳孔中心は多少のずれがある場合が多く、角膜中心で位置合わせを行った場合に、虹彩により眼屈折力測定の測定光束の一部が遮ぎられて、眼底からの正常な情報が得られなくなることがある。このような場合には、測定エラーが発生したり、異常な測定値を出力してしまうことになる。
【０００４】
この従来の眼屈折力計の問題点に対して、角膜中心にアライメントを行ってから、虹彩エッジの位置と測定領域を囲む矩形の座標から、測定光束が瞳孔を通過可能か否かを判定し、通過し得ないと判断された場合には、瞳孔中心に向けて検眼光学系を移動することが特許文献１に開示されている。
【０００５】
【特許文献１】特公平１１−１９０４０号公報
【発明の開示】
【発明が解決しようとする課題】
【０００６】
しかしながら上述の従来例では、測定光束が瞳孔を通過し得ないと判断された場合に、瞳孔中心に向けて検眼光学系を移動することができるが、被検眼によっては瞳孔が円形でなく歪んでいる場合や、小瞳孔や、角膜頂点と瞳孔中心が大きく偏芯している場合には、瞳孔中心に移動した場合においても、虹彩により測定光束が通過できないこともある。その場合に、測定エラーが発生したり、測定値の精度が悪くなってしまい、更には角膜中心にアライメントを行ってから、検眼光学系を移動するために、測定に時間を要するという問題もある。
【０００７】
測定光束が虹彩に遮ぎられた場合でも、眼底像として検出されるときには、虹彩に遮ぎられた部分は周辺の測定光束によって平均化されてしまうため、眼底像からでは眼屈折力を判断できない場合もある。
【０００８】
本発明の目的は、上述の課題を解決し、被検眼の前眼部像から眼屈折力測定のための眼底反射光束が瞳孔内を通過可能か否かを判断し、この判断結果から眼底像の検出範囲を設定し、虹彩エッジなどにより遮ぎられた部位の眼底像の検出を行わないことで、測定エラーや測定精度の悪化を防止し、測定精度の向上及び操作性向上と被検者の負担とを軽減する眼屈折力測定装置を提供することにある。
【課題を解決するための手段】
【０００９】
上記目的を達成するための本発明に係る眼屈折力測定装置は、被検眼の眼底に光束を投影する光束投影手段と、該光束投影手段による眼底反射光束を検出して被検眼の眼屈折力を測定する測定手段とを有する眼屈折力測定装置において、被検眼の前眼部を撮像する撮像手段と、該撮像手段で撮像した前眼部像を記憶する記憶手段と、該前眼部像を用いて前記眼底反射光束の通過領域を前記眼底反射光束が通過可能か否かを判断する判断手段と、該判断手段の結果を基に前記眼底反射光束の検出範囲を設定する検出範囲設定手段とを有し、前記測定手段は該検出範囲設定手段で設定した検出範囲で得られた前記眼底反射光束を使用して眼底屈折力を測定することを特徴とする。
【発明の効果】
【００１０】
本発明に係る眼屈折力測定装置によれば、虹彩などにより眼屈折力測定の測定光束の一部がけられた場合においても、測定エラーの減少及び測定精度の向上を図ることができ、更に操作性を向上させると共に被検者の負担を軽減することができる。
【発明を実施するための最良の形態】
【００１１】
本発明を図示の実施の形態に基づいて詳細に説明する。
図１は測定装置の構成図である。被検眼Ｅに対向してダイクロイックミラー１が配置されており、ダイクロイックミラー１の透過方向の光路Ｏ１上には、眼屈折力測定用対物レンズ２、対物レンズ２の後焦点面に配置され光路Ｏ１に対し挿脱自在の拡散板３、ビームスプリッタ４、投影レンズ５、ピンホールを有する指標板６、近赤外光を発する眼屈折力測定光源７が配列されている。拡散板３は眼屈折力測定光源７から発せられる光束を拡散させるためのものであり、この拡散板３は前方散乱強度が強く、拡散した光束の大部分が眼屈折力測定用対物レンズ２によって集光されるようになっている。
【００１２】
ビームスプリッタ４の反射方向の光路Ｏ２上には、光軸外に配置されたリング絞り８、円錐プリズム９、リレーレンズ１０、ＣＣＤカメラなどから成る二次元撮像素子１１が配列され、眼屈折力測定受光系が構成されている。
【００１３】
一方、ダイクロイックミラー１の反射方向の光路Ｏ３上には、前眼観察用対物レンズ１２、ダイクロイックミラー１３、被検眼Ｅの眼底Ｅｒと略共役な位置に配置されＬＥＤなどから成る固視光源１４が配列されている。また、ダイクロイックミラー１３の反射方向の光路Ｏ４上にアライメント用光学系として、中心の開口部と両側の開口部に付設した偏向プリズム１５ａ、１５ｂとを有する絞り板１６、結像レンズ１７、ＣＣＤカメラなどから成る二次元撮像素子１８が配列されている。本実施例では、アライメント用光学系は眼屈折力測定光学系と一部の光学系を共用しており、これにより装置が簡素化されている。
【００１４】
更に、被検眼Ｅとダイクロイックミラー１の間には、１対の前眼部照明光源１９ａ、１９ｂが光路Ｏ１に対して対称的に配置されている。この前眼部照明光源１９ａ、１９ｂの波長光は、前述の眼屈折力測定光源７の波長光よりも１００ｎｍ程度短い近赤外光とされている。
【００１５】
なお、ダイクロイックミラー１は眼屈折力測定光源７から発せられる波長光の大部分を透過し一部を反射し、前眼部照明光源１９ａ、１９ｂから発した波長光及び可視光を反射する特性を有しており、ダイクロイックミラー１３は可視光を透過し、近赤外光を反射する特性を有している。
【００１６】
偏向プリズム１５ａ、１５ｂは眼屈折力測定光源７からの波長光を透過し、前眼部照明光源１９ａ、１９ｂからの波長光を透過しない分光特性を有し、偏向プリズム１５ａは紙面奥の方に、偏向プリズム１５ｂは紙面手前の方に光束を偏向するようになっており、偏向プリズム１５ａ、１５ｂは絞り板１６と共に光路Ｏ４上に挿脱可能とされている。
【００１７】
これらの光学系は１個の筐体内に保持され、測定部２０が構成されている。この測定部２０は図示しない架台上に載置されており、架台は水平方向のＸ軸用モータ２１、鉛直方向のＹ軸用モータ２２、装置光軸方向のＺ軸用モータ２３により、電動的に３軸方向に移動可能となっている。
【００１８】
撮像素子１１、１８の出力はＡ／Ｄコンバータ２４を介して画像メモリ２５に接続されていると共に、装置の全ゆる制御を行う演算処理部２６に接続されている。演算処理部２６には、Ｄ／Ａコンバータ２７を介してテレビモニタ２８、モータ２１、２２、２３の駆動制御を行う駆動制御部２９、操作者が操作するためのスイッチなどが配置された操作部３０が接続されている。この他に、図１では省略しているが、拡散板３、絞り板１６をそれぞれ光路Ｏ１、Ｏ４に対して挿脱するための図示しないモータなどが演算処理部２６に接続されている。
【００１９】
図２は動作のフローチャート図であり、アライメントに際しては、架台に設けた顎受け台により被検者の顔を固定し、操作部３０に設けられている測定開始スイッチを押すと、演算処理部２６の制御により測定動作が開始され、固視光源１４を点灯し被検眼Ｅに呈示して固視させる。同時に、前眼部照明光源１９ａ、１９ｂにより被検眼Ｅが照明され、被検眼Ｅの前眼部付近からの反射散乱光はダイクロイックミラー１で反射し、前眼観察用対物レンズ１２により略平行光とされ、更にダイクロイックミラー１３を反射し、結像レンズ１７により前眼部像として撮像素子１８上に結像する。
【００２０】
また、眼屈折力測定光源７を点灯すると、その光束は指標板６を照明し、指標板６のピンホールを透過し投影レンズ５を介して、一旦眼屈折力測定用対物レンズ２の後側焦点面で指標板６のピンホール像を形成する。拡散板３は指標板６と光学的に共役な位置に挿脱可能に設けられているので、拡散板３で指標板６のピンホールの実像を形成して光束を拡散させ、Ｆナンバの明るい光束により被検眼Ｅを照明し、広い範囲で角膜反射指標像を検出することができる。
【００２１】
測定光源７による角膜反射光束の一部はダイクロイックミラー１により反射され、前眼部観察用対物レンズ１２により略平行光とされ、ダイクロイックミラー１３で光路Ｏ４方向に偏向され、偏向プリズム１５ａ、１５ｂを伴う絞り板１６の３つの開口部により、３つの光束に分割され、結像レンズ１７により撮像素子１８上に達し、前眼部照明光源１９ａ、１９ｂによる前眼部像と共に３点の角膜反射指標像Ｐａ〜Ｐｃとして撮像される。
【００２２】
そして、撮像素子１８の出力信号はＡ／Ｄコンバータ２４によってデジタル信号に変換され、前眼部像のデータは画像メモリ２５に記憶される。また、このデジタル信号は演算処理部２６、Ｄ／Ａコンバータ２７を介して、図３に示すようにテレビモニタ２８上に前眼部像Ｅ’が映し出される。更にテレビモニタ２８には、眼屈折力測定光源７による３点の角膜反射指標像Ｐａ〜Ｐｃ、合成されたアライメント指標Ｍも映出される。
【００２３】
次に、演算処理部２６は画像メモリ２５に記憶された画像情報から、３点の角膜反射指標像Ｐａ〜Ｐｃの重心位置を検出する。演算処理部２６はこの重心位置が検出されると、測定部２０の光軸と重心位置との光軸と垂直な面内でのずれ量を算出し、それらが一致するように、Ｘ軸用モータ２１とＹ軸用モータ２２とを駆動制御部２９により駆動してアライメント制御を行う（ステップＳ１）。
【００２４】
そして、３点の角膜反射指標像Ｐａ〜Ｐｃの上下の重心位置からピント位置を検出し、ピント状態が許容範囲内にない場合には、Ｚ軸用モータ２３を駆動制御部２９を介して所定量駆動する。１回目の角膜反射指標像Ｐａ〜Ｐｃの重心位置及びピント状態検出、モータ駆動が終わると、演算処理部２６は再び角膜反射指標像Ｐａ〜Ｐｃの重心位置及びピント状態の検出を行い、Ｘ方向とＹ方向の測定部２０の光軸とのずれ量が予め設定してある許容範囲内にあるかを判断し、ピント状態の変化を比較する。
【００２５】
ピント状態の変化の比較により、ピント状態が良くなっている場合には、再び前回と同じ方向に所定量だけＺ軸用モータ２３を駆動し、ピント状態が悪くなっている場合には、前回とは逆方向に所定量だけＺ軸用モータ２３を駆動し、再びピント状態の変化を比較する。演算処理部２６は検出したピント状態が許容範囲内に入るまで、この動作を繰り返す（ステップＳ２）。
【００２６】
このようにして、被検眼Ｅと測定部２０とのアライメントが終了する。このとき、眼底反射光により瞳孔内が照明されており、虹彩と瞳孔を分離し難いため、眼屈折力測定光源７を消灯した後に、前眼部照明光源１９ａ、１９ｂの照射により撮像素子１８により前眼部像Ｅ’の撮像を行う（ステップＳ３）。撮像素子１８の出力信号はＡ／Ｄコンバータ２４によってデジタル信号に変換され、画像メモリ２５に記憶される。同時に、デジタル信号は演算処理部２６、Ｄ／Ａコンバータ２７を介して、テレビモニタ２８上に映し出される。
【００２７】
前眼部像Ｅ’の撮像後に拡散板３を光路Ｏ１から退避し、眼屈折力測定光源７を発光させると、測定光源７から出射した光束は指標板６を通り、先と同様に被検眼Ｅに達し、眼底Ｅｒに指標像として結像する。そして、指標像を２次光源として反射、散乱した光は、大部分がダイクロイックミラー１を透過し、対物レンズ２を介してビームスプリッタ４により反射され、リング絞り８、円錐プリズム９、リレーレンズ１０を介して撮像素子１１上にリング像を形成する。この映像信号はＡ／Ｄコンバータ２４でデジタル信号とされ、画像メモリ２５に記憶し、測定領域の輝度を検出する（ステップＳ４）。
【００２８】
図４は画像メモリ２５に記憶された前眼部像Ｅ’を示し、Ｐ１〜Ｐ８は測定領域の最外周上の輝度を検出する個所を示している。検出個所Ｐ１〜Ｐ８において、測定光束が虹彩に遮ぎられているかを判断する方法として、アライメント完了位置Ｑの輝度を基準として閾値Ｌを設定し、閾値Ｌ以上の輝度を検出した場合に、虹彩により遮ぎられていると判断する（ステップＳ５）。
【００２９】
図５はそのときの検出個所Ｐ１〜Ｐ８で検出された輝度レベルを示している。点線はアライメント完了位置Ｑの輝度を基準として設定された閾値Ｌを示している。各個所の輝度が閾値Ｌ以上に達していないため、測定光束が虹彩に遮ぎられていないと判断される（ステップＳ６）。
【００３０】
図６は画像メモリ２５に記憶された測定光束の一部が虹彩により遮ぎられている前眼部像Ｅ’を示し、図７は図６で示される測定光束が虹彩に遮ぎられている各検出個所Ｐ１〜Ｐ８で検出された輝度レベルを示している。検出個所Ｐ７で検出された輝度が設定された閾値Ｌに比べて高いことを示しており、検出個所Ｐ７の測定光束が虹彩により遮ぎられていると判断される。
【００３１】
図８は図６で示される測定光束が虹彩に遮ぎられているときに、撮像素子１８で撮像されたリング像Ｒを示し、測定領域の個所Ｐ７の測定光束が虹彩に遮ぎられたため、その部分に対応したエリアのリング像Ｒの一部が欠けていることが分かる。
【００３２】
前眼部像Ｅ’を基に測定領域最外周上の８つの検出個所Ｐ１〜Ｐ８で検出を行っているため、リング像Ｒもそれに対応して８つのエリアＡ１〜Ａ８に分割されている。そこで、欠落が認められた検出個所Ｐ７に対応するエリアＡ７を、眼底像検出を行わない範囲に設定する（ステップＳ７）。
【００３３】
エリアＡ７を除いた範囲のリング像Ｒを基に、例えば出願人による特許文献２で示される既知の方法によって、走査線上のデータを検出して重心位置の算出を行い、その結果から楕円を近似し、楕円の長径・短径・軸角度から眼屈折力値であるＳＰＨ・ＣＹＬ・ＡＸの算出を行う（ステップＳ８）。
【００３４】
更に算出結果から、光路Ｏ３上に設けた図示しない固視標投影系を制御し、被検眼Ｅに雲霧を促す。この雲霧を数回行うことにより、調節のない雲霧状態で被検眼Ｅの眼屈折力を測定する。このように、虹彩に影響された測定領域部分の眼底像から求められる精度の不確かな重心データを、眼屈折力値算出に用いないことにより、精度の高い測定値を求めることができる。
【００３５】
【特許文献２】特開２００１−２６９３１５号公報
【００３６】
上述のように、前眼部像から虹彩などにより測定光束が遮ぎられている場合に、測定領域の最外周上の輝度を検出することにより、測定光束が虹彩に遮ぎられているかを判断し、その判断結果から眼底像の検出範囲を設定し、眼屈折力値の算出を行うことにより、測定エラーや測定精度の悪化を防止することが可能となる。
【産業上の利用可能性】
【００３７】
上記実施例の測定光束が虹彩に遮ぎられているかの判断方法として、アライメント完了位置の輝度を基準として閾値を設定し、各個所の輝度が高いかで判断したが、各個所の輝度が最も低い個所の輝度を基準として閾値の設定を行い、測定光束が虹彩に遮ぎられているかを判断してもよい。
【図面の簡単な説明】
【００３８】
【図１】実施例の測定装置の構成図である。
【図２】動作のフローチャート図である。
【図３】前眼部像を映出したテレビモニタの説明図である。
【図４】測定光束が虹彩に遮ぎられない状態の前眼部像の説明図である。
【図５】測定光束が虹彩に遮ぎられない状態の各個所の輝度レベルのグラフ図である。
【図６】測定光束の一部が虹彩に遮ぎられた状態の前眼部像の説明図である。
【図７】測定光束の一部が虹彩に遮ぎられた状態の各個所の輝度レベルのグラフ図である。
【図８】測定光束の一部が虹彩に遮ぎられた状態の眼屈折力測定リング像の説明図である。
【符号の説明】
【００３９】
２  眼屈折力測定用対物レンズ
７  眼屈折力測定光源
１１、１８  撮像素子
１２  前眼観察用対物レンズ
１４  固視光源
１９ａ、１９ｂ  前眼部照明光源
２０  測定部
２５  画像メモリ
２６  演算処理部
２８  テレビモニタ
２９  駆動制御部
３０  操作部
【図１】
2005342284.tif 000003
【図２】
2005342284.tif 000004
【図３】
2005342284.tif 000005
【図４】
2005342284.tif 000006
【図５】
2005342284.tif 000007
【図６】
2005342284.tif 000008
【図７】
2005342284.tif 000009
【図８】
2005342284.tif 000010